(57)【要約】【課題】均一な気流が得られるとともに、広範囲に調和空気を送出することができる空気調和機を提供することである。【解決手段】空気調和機１は、シロッコファン１１と、シロッコファン１１の周囲から延びて先端に第１吹出口４を有する第１排気経路４１と、シロッコファン１１の周囲から延びて先端に第２吹出口５を有する第２排気経路５１とを備え、第１吹出口４と第２吹出口５とがシロッコファン１１の円周方向に異なる位置に配設されるとともに、第１排気経路４１の一内面４１３と第２排気経路５１の一内面５１３とがシロッコファン１１の外周から円周方向に延びた接線をそれぞれ含む構成とする。【選択図】図２Ａ
2012017896.tif 000002
【特許請求の範囲】
【請求項１】
遠心ファンを備えた空気調和機において、
前記遠心ファンの周囲から延びて先端に第１吹出口を有する第１排気経路と、前記遠心ファンの周囲から延びて先端に第２吹出口を有する第２排気経路とを備え、第１吹出口と第２吹出口とが前記遠心ファンの円周方向に異なる位置に配設されるとともに、第１排気経路の一内面と第２排気経路の一内面とが前記遠心ファンの外周から円周方向に延びた接線をそれぞれ含むことを特徴とする空気調和機。
【請求項２】
第１排気経路と第２排気経路とが前記遠心ファンの軸方向に異なる位置から延出されることを特徴とする請求項１記載の空気調和機。
【請求項３】
第１吹出口と第２吹出口とが前記遠心ファンの軸方向に異なる位置に配設されることを特徴とする請求項１又は２記載の空気調和機。
【請求項４】
第１排気経路及び第２排気経路の少なくとも一方が前記遠心ファンの軸方向に蛇行し、第１吹出口と第２吹出口とが前記遠心ファンの円周方向に並んで配設されることを特徴とする請求項１又は２記載の空気調和機。
【請求項５】
前記遠心ファンを収納する第１収納部を有して第１排気経路を第１収納部から前記遠心ファンの接線方向に延出した第１ケーシングと、第１収納部に前記遠心ファンの軸方向に連通して前記遠心ファンを収納する第２収納部を有して第２排気経路を第２収納部から前記遠心ファンの接線方向に延出した第２ケーシングとを備え、第１収納部及び第１収納部から所定範囲の第１排気経路が第２収納部及び第２収納部から所定範囲の第２排気経路を前記遠心ファンの円周方向に回転移動させた形状に一致することを特徴とする請求項１〜４の何れかに記載の空気調和機。
【請求項６】
第１吹出口と第２吹出口とが本体筐体の異なる面に配設されることを特徴とする請求項１〜５の何れかに記載の空気調和機。
【請求項７】
正イオン及び負イオンを発生するイオン発生装置を備え、
第１及び第２排気経路に、正イオン及び負イオンを供給することを特徴とする請求項１〜６の何れかに記載の空気調和機。
【請求項８】
前記イオン発生装置は、前記正イオンを送出する正イオン送出口と、前記負イオンを送出する負イオン送出口とを備え、
第１及び第２排気経路中のそれぞれの気流の進行方向に対して、前記正イオン送出口と前記負イオン送出口とが重ならないように配設することを特徴とする請求項７記載の空気調和機。
【発明の詳細な説明】
【技術分野】
【０００１】
本発明は、遠心ファンを備えた空気調和機に関する。
【背景技術】
【０００２】
空気調和機に用いられる送風機は機器に搭載されるフィルター、熱交換器などの構成部材の構造や数、さらに送風経路の構造などに応じて適切な種類が選択されている。そして、送風機の種類を大きく分類すると、例えば、貫流ファン、遠心ファン、プロペラファンの三種類に分けられる。
【０００３】
空気調和機の中でも空気清浄機は粗塵フィルター、脱臭フィルター、ＨＥＰＡ（High Efficiency Particulate Air）フィルター等の複数のフィルターを搭載するため送風の圧力損失が大きい。しかも空気清浄機は空気清浄機能を短時間で発生させるために大きな送風量を必要とする。このため、空気清浄機の送風機には一般的に遠心ファンが用いられ、中でもシロッコファンと呼ばれる多翼ファンが用いられることが多い。
【０００４】
シロッコファンを用いた送風機にはファンの軸を中心にしてファンよりも少し大きな渦巻き状のケーシングが備えられる。そして、空気調和機の吹出口を大きくとりたい場合には排気経路をケーシングの咽部（根元部）から吹出口にかけて緩やかに広げて形成する。
【０００５】
一方で、調和空気を多方向に送出する機器や複数の送風機を備えた機器もある（特許文献１〜３参照）。例えば、吹出口を二方向に配置することで、冷房時には冷風を上向きに送出し、暖房時には暖風を下向きに送出する。
【先行技術文献】
【特許文献】
【０００６】
【特許文献１】実開昭６２−１７９３９８号公報
【特許文献２】特開平２−１７８５３５号公報
【特許文献３】特開平２−１７１５１９号公報
【発明の概要】
【発明が解決しようとする課題】
【０００７】
上述したように、シロッコファンを送風機として用いた空気調和機においてはケーシングの根元部から吹出口にかけて緩やかに広げることで吹出口を大きくしている。このため、吹出口を広くしすぎると、吹出口近傍で気流の渦が発生する場合や吹出口の一部からは調和空気が送出されない場合がある。これにより、均一な気流が得られない。一方で単純に吹出口を小さくしてしまうと、吹き出し範囲が限定されてしまうため、室内全体に調和空気を行き渡らせることが難しくなる。
【０００８】
本発明は、均一な気流が得られるとともに、広範囲に調和空気を送出することができる空気調和機を提供することを目的とする。
【課題を解決するための手段】
【０００９】
上記目的を達成するために本発明は、遠心ファンを備えた空気調和機において、前記遠心ファンの周囲から延びて先端に第１吹出口を有する第１排気経路と、前記遠心ファンの周囲から延びて先端に第２吹出口を有する第２排気経路とを備え、第１吹出口と第２吹出口とが前記遠心ファンの円周方向に異なる位置に配設されるとともに、第１排気経路の一内面と第２排気経路の一内面とが前記遠心ファンの外周から円周方向に延びた接線をそれぞれ含むことを特徴とする。
【００１０】
この構成によると、均一な気流が送出されるように個々の吹出口を小さくしても、全ての吹出口を合わせた円周方向の長さは十分に長くなる。
【００１１】
また上記の空気調和機において、第１排気経路と第２排気経路とが前記遠心ファンの軸方向に異なる位置から延出されるようにしてもよい。
【００１２】
また上記の空気調和機において、第１吹出口と第２吹出口とが前記遠心ファンの軸方向に異なる位置に配設されるようにしてもよい。
【００１３】
また上記の空気調和機において、第１排気経路及び第２排気経路の少なくとも一方が前記遠心ファンの軸方向に蛇行し、第１吹出口と第２吹出口とが前記遠心ファンの円周方向に並んで配設されるようにしてもよい。
【００１４】
また上記の空気調和機において、前記遠心ファンを収納する第１収納部を有して第１排気経路を第１収納部から前記遠心ファンの接線方向に延出した第１ケーシングと、第１収納部に前記遠心ファンの軸方向に連通して前記遠心ファンを収納する第２収納部を有して第２排気経路を第２収納部から前記遠心ファンの接線方向に延出した第２ケーシングとを備え、第１収納部及び第１収納部から所定範囲の第１排気経路が第２収納部及び第２収納部から所定範囲の第２排気経路を前記遠心ファンの円周方向に回転移動させた形状に一致するようにしてもよい。
【００１５】
また上記の空気調和機において、正イオン及び負イオンを発生するイオン発生装置を備え、第１及び第２排気経路に、正イオン及び負イオンを供給するようにしてもよい。
【００１６】
また上記の空気調和機において、前記イオン発生装置は、前記正イオンを送出する正イオン送出口と、前記負イオンを送出する負イオン送出口とを備え、第１及び第２排気経路中のそれぞれの気流の進行方向に対して、前記正イオン送出口と前記負イオン送出口とが重ならないように配設することが、正イオンと負イオンとが衝突して消滅することを抑制する観点から望ましい。
【発明の効果】
【００１７】
本発明によると、均一な気流が送出されるように個々の吹出口を小さくしても、全ての吹出口を合わせた円周方向の長さは十分に長くなるので、吹き出し範囲が限定されることはなく、広範囲に調和空気を送出することができ、室内全体に調和空気を行き渡らせることができる。
【図面の簡単な説明】
【００１８】
【図１】本発明に関連する空気調和機の内部構造の概略正面図である。
【図２Ａ】本発明の第１実施形態の空気調和機の内部構造の概略背面図である。
【図２Ｂ】図２Ａの上面図である。
【図２Ｃ】図２Ａの側面図である。
【図３】本発明のイオン発生装置の外観斜視図である。
【図４】本発明の空気調和機の設置状態と気流の状態とを示す図である。
【図５Ａ】本発明の第２実施形態の空気調和機の内部構造の概略背面図である。
【図５Ｂ】図５Ａの上面図である。
【図５Ｃ】図５Ａの側面図である。
【図６】本発明の第３実施形態の空気調和機の内部構造の概略側面図である。
【図７Ａ】本発明の第４実施形態の空気調和機の内部構造の概略正面図である。
【図７Ｂ】図７Ａの上面図である。
【発明を実施するための形態】
【００１９】
図１は本発明に関連する空気調和機の内部構造の概略背面図である。空気調和機１０はシロッコファン１１と、ケーシング１２とを備えている。ケーシング１２はシロッコファン１１の軸を中心にしてシロッコファン１１を覆う渦巻き状部分と、渦巻き状部から延出して吹出口に繋がる排気経路とを備えている。そして、空気調和機１０の吹出口を大きくとるため、ケーシング１２の最も狭くなった咽部（根元部）１６から吹出口にかけて排気経路は緩やかに広がっている。
【００２０】
吹出口は均一な気流が得られる吹出口１４と、気流に乱れが生じる吹出口１５とに説明の便宜上分けられる（実際に壁があるわけではない）。吹出口１４と吹出口１５との境界は、咽部１６を通るシロッコファン１１の外径の接線Ｔを含む面が吹出口と交わる線である。
【００２１】
シロッコファン１１が送出する気流はシロッコファン１１の外径の接線方向に向いている。したがって、図１において吹出口１４は接線Ｔの右側の排気経路を通った空気の吹出口であり、つまり吹出口１４の全ての領域がシロッコファン１１の外径の接線方向に該当するので、気流は矢印で示すようにそれぞれの接線方向に直線的に形成される。
【００２２】
一方、図１において吹出口１５は、接線Ｔの左側の排気経路を通った空気の吹出口であり、つまり吹出口１５の全ての領域がシロッコファン１１の外径の接線を含まないのでシロッコファン１１から直接送出される空気が通ることはなく、気流は矢印２、２１で示すように、吹出口１５の左上端付近では外気が逆流して気流２が生じ、吹出口１５の右寄りの接線Ｔ付近を流れる気流と衝突して渦の気流２１を生じる。
【００２３】
よって、吹出口１４では所望の均一な気流（層流）が得られ、吹出口１５では所望の均一な気流が得られず、室内全体に調和空気を行き渡らせることが難しい。
【００２４】
〈第１実施形態〉
図２Ａは第１実施形態の空気調和機の内部構造の概略背面図、図２Ｂはその上面図、図２Ｃはその側面図である。
【００２５】
空気調和機１はシロッコファン１１と、シロッコファン１１の軸方向に並んだ第１及び第２ケーシング４１、５１と、送風機モータ６と、フィルター７と、イオン発生装置３、３とを備えている。図２Ｃにおいてフィルター７の右側に開口部があり、空気の吸込口となっている。フィルター７を通じて吸い込まれた空気は、シロッコファン１１に導かれ、第２ケーシング５１、又は第１及び第２ケーシング４１、５１を通って第１及び第２吹出口４、５から送出される。
【００２６】
第１ケーシング４１はシロッコファン１１を収納する第１収納部を有して第１排気経路を第１収納部からシロッコファン１１の接線方向に延出したものである。第１排気経路はシロッコファン１１の周囲から延びて先端に第１吹出口４を有する。
【００２７】
第２ケーシング５１はシロッコファン１１を収納する第２収納部を有して第２排気経路を第２収納部からシロッコファン１１の接線方向に延出したものである。第２排気経路はシロッコファン１１の周囲から延びて先端に第２吹出口５を有する。
【００２８】
第１及び第２収納部はシロッコファン１１の軸を中心にしてシロッコファン１１の外周を所定の空隙を保って囲む渦巻き形状となっている。この形状はアルキメデスの螺旋などに基づいて設計できる。第１ケーシング４１、第２ケーシング５１の最も狭くなったそれぞれの咽部（根元部）１７、１６からそれぞれの吹出口４、５にかけて排気経路は緩やかに広がっている。そして、第１排気経路と第２排気経路とがシロッコファン１１の軸方向に異なる位置から延出されている。
【００２９】
第１収納部と第２収納部とは空気を送るためシロッコファン１１の軸方向に連通している。第１収納部及び第１収納部から所定範囲（第１吹出口４近辺を除いた部分）の第１排気経路が、第２収納部及び第２収納部から所定範囲（第２吹出口５近辺を除いた部分）の第２排気経路をシロッコファン１１の円周方向に回転移動させた形状に一致する。なお、必ずしも形状は一致しなくてもよい。
【００３０】
具体的に、第１ケーシング４１の形状はシロッコファン１１の円周上の一点から半径方向に所定距離だけ離隔した位置に始点１７１を定め、始点１７１から徐々に半径方向に拡大しながら、始点１７１から３／４円周程度のところに定められた終点１７２まで円周方向に形成される内面４１１と、終点１７２から連続して、終点１７２におけるシロッコファン１１の外径の接線方向に形成され第１吹出口４まで延びる内面４１２と、始点１７１から延びる任意の曲線によって形成される咽部１７から第１吹出口４まで延びる内面４１３とで決定されている。なお、始点１７１及び終点１７２は任意に決定される。
【００３１】
内面４１３は、第１ケーシング４１内で均一の気流が得られるようにシロッコファン１１の外径の接線を含んでいる。したがって、第１吹出口４の全ての領域がシロッコファン１１の外径の接線方向に該当するので、気流はそれぞれの接線方向に直線的に形成され、第１吹出口４から均一な気流（層流）が送出される。
【００３２】
第２ケーシング５１の形状も同様に、始点１６１、終点１６２、内面５１１、５１２、５１３によって決定されている。また、第１ケーシング４１と第２ケーシング５１はシロッコファン１１の軸方向に並んでおり、つまりシロッコファン１１の円周方向に重ならないように配設されている。各排気経路の始点がシロッコファン１１の軸方向にずれて配設されているとも言える。図２Ｃに示すように、ケーシング４１とケーシング５１とは内面４０を共用している。そして、内面４０はシロッコファン１１の羽幅を二分するように配設されている。
【００３３】
ケーシング４１とケーシング５１の設置角度、例えば、内面４１３と内面５１３とがなす角度は、シロッコファン１１の軸を中心として互いに所定角度θ1だけ円周方向にずれている。所定角度θ1としては、０°より大きければよいが、室内への送風角度を考慮すると、１８０°以下であることが好ましい。これにより、吹出口４と吹出口５は、シロッコファン１１の軸方向に１列に並ぶことなく、図２Ｂに示すように、シロッコファン１１の円周方向にずれて配設される。
【００３４】
このように、均一な気流が送出される第１、第２吹出口４、５をシロッコファン１１の円周方向に異なる位置に配設することにより、個々の吹出口は小さくなるが、第１及び第２吹出口４、５を合わせた円周方向の長さは十分に長くなるので、吹き出し範囲が限定されることはなく、広範囲に調和空気を送出することができ、室内全体に調和空気を行き渡らせることができる。
【００３５】
図３に、イオン発生装置３の外観斜視図を示す。イオン発生装置３は正イオン及び負イオンを発生する装置であり、正イオンを送出する正イオン送出口３１と、負イオンを送出する負イオン送出口３２と、高圧発生回路（不図示）と、放電電極（不図示）と、誘導電極（不図示）とを備えている。正イオンとしては、Ｈ+（Ｈ2Ｏ）m（ｍは０又は任意の自然数）、負イオンとしては、Ｏ2-（Ｈ2Ｏ）n（ｎは０又は任意の自然数）などとすることができる。
【００３６】
そしてイオン発生装置３は、第１及び第２排気経路を流れる空気に正イオン及び負イオンを供給するように、図２Ａ、図２Ｃに示すように、ケーシング４１、５１の内面に形成された開口部にそれぞれ設置されている。図のように、排気経路中の気流の進行方向に対して、正イオン送出口３１と負イオン送出口３２とが重ならないように配設することで、正イオンと負イオンとが衝突して消滅することを抑制している。
【００３７】
なお、第１ケーシング４１と第２ケーシング５１の厚み（シロッコファン１１の軸方向の長さ）は異なるようにしてもよい。その厚みに上限はあるが基本的にケーシングを厚くすると風量は増加するので、例えば、正面側の吹出口に繋がるケーシングを薄くして風量を抑え、背面側の吹出口に繋がるケーシングを厚くして風量を増加させれば、正面側の吹出口から送出する調和空気を室内中央部に向け、背面側の吹出口から送出する調和空気を背面側の室内壁面に向けて送出する場合などで効果を発揮する。
【００３８】
図４に、この空気調和機の設置状態と気流の状態とを示す。空気調和機は室内の壁際に設置され、正面側の吹出口に正面側へ送風するためのルーバー５５を、背面側の吹出口に背面側へ送風するためのルーバー４５を有している。このとき、室内の気流は、図４の矢印で示す状態となり、矢印の太さが風量の大小を表している。つまり、空気調和機の正面側の斜め上方へ送出される調和空気は風量が小さく、反対側の壁に到達する前に失速して床に落ち、再び空気調和機に取り込まれている。一方、空気調和機の背面側の斜め上方へ送出される調和空気は風量が大きく、壁に沿って上昇した後、天井、反対側の壁、床に沿って室内を一周し、再び空気調和機に取り込まれている。よって、室内全体に調和空気が行き渡っていることがわかる。
【００３９】
〈第２実施形態〉
図５Ａは第２実施形態の空気調和機の内部構造の概略背面図、図５Ｂはその上面図、図５Ｃはその側面図である。第１実施形態と同様の部材には同符号を付し、その詳細な説明を省略する。以下では、第２実施形態の空気調和機１’が第１実施形態の空気調和機１と異なる点を主に説明する。
【００４０】
空気調和機１’はシロッコファン１１と、シロッコファン１１の軸方向に並んだ第１及び第２ケーシング４２、５２と、送風機モータ６と、フィルター７と、イオン発生装置３、３とを備えている。図５Ｃにおいてフィルター７の右側に開口部があり、空気の吸込口となっている。フィルター７を通じて吸い込まれた空気は、シロッコファン１１に導かれ、第２ケーシング５２、又は第１及び第２ケーシング４２、５２を通って第１及び第２吹出口４’、５’から送出される。
【００４１】
第１ケーシング４２はシロッコファン１１を収納する第１収納部を有して第１排気経路を第１収納部からシロッコファン１１の接線方向に延出したものである。第１排気経路はシロッコファン１１の周囲から延びて先端に第１吹出口４’を有する。
【００４２】
第２ケーシング５２はシロッコファン１１を収納する第２収納部を有して第２排気経路を第２収納部からシロッコファン１１の接線方向に延出したものである。第２排気経路はシロッコファン１１の周囲から延びて先端に第２吹出口５’を有する。
【００４３】
第１及び第２収納部はシロッコファン１１の軸を中心にしてシロッコファン１１の外周を所定の空隙を保って囲む渦巻き形状となっている。この形状はアルキメデスの螺旋などに基づいて設計できる。第１ケーシング４２、第２ケーシング５２の最も狭くなったそれぞれの咽部（根元部）１９、１８からそれぞれの吹出口４’、５’にかけて排気経路は緩やかに広がっている。そして、第１排気経路と第２排気経路とがシロッコファン１１の軸方向に異なる位置から延出されている。
【００４４】
第１収納部と第２収納部とは空気を送るためシロッコファン１１の軸方向に連通している。第１収納部及び第１収納部から所定範囲（第１吹出口４’近辺を除いた部分）の第１排気経路が、第２収納部及び第２収納部から所定範囲（第２吹出口５’近辺を除いた部分）の第２排気経路をシロッコファン１１の円周方向に回転移動させた形状に一致する。なお、必ずしも形状は一致しなくてもよい。
【００４５】
具体的に、第１ケーシング４２の形状はシロッコファン１１の円周上の一点から半径方向に所定距離だけ離隔した位置に始点１９１を定め、始点１９１から徐々に半径方向に拡大しながら、始点１９１から３／４円周程度のところに定められた終点１９２まで円周方向に形成される内面４２１と、終点１９２から連続して、終点１９２におけるシロッコファン１１の外径の接線方向に形成され第１吹出口４’まで延びる内面４２２と、始点１９１から延びる任意の曲線によって形成される咽部１９から第１吹出口４’まで延びる内面４２３とで決定されている。なお、始点１９１及び終点１９２は任意に決定される。
【００４６】
内面４２３は、第１ケーシング４２内で均一の気流が得られるようにシロッコファン１１の外径の接線を含んでいる。したがって、第１吹出口４’の全ての領域がシロッコファン１１の外径の接線方向に該当するので、気流はそれぞれの接線方向に直線的に形成され、第１吹出口４’から均一な気流（層流）が送出される。
【００４７】
第２ケーシング５２の形状も同様に、始点１８１、終点１８２、内面５２１、５２２、５２３によって決定されている。また、第１及び第２ケーシング４２、５２の第１及び第２収納部はシロッコファン１１の軸方向に並んでおり、第１排気経路及び第２排気経路がシロッコファン１１の軸方向に蛇行し、第１吹出口４’と第２吹出口５’とがシロッコファン１１の円周方向に並んで配設されている。なお、第１排気経路及び第２排気経路の少なくとも一方が蛇行していればよい。図５Ｃに示すように、ケーシング４１とケーシング５１とは内面４０’を共用している。そして、内面４０’はシロッコファン１１の羽幅を二分するように配設されている。
【００４８】
ケーシング４２とケーシング５２の設置角度、例えば、内面４２３と内面５２３とがなす角度はシロッコファン１１の軸を中心として互いに所定角度θ2だけ円周方向にずれている。所定角度θ2としては、０°より大きければよいが、室内への送風角度を考慮すると、１８０°以下であることが好ましい。これにより、吹出口４’と吹出口５’はシロッコファン１１の軸方向に１列に並ぶことがない。
【００４９】
このように、均一な気流が送出される吹出口４’、５’をシロッコファン１１の円周方向に１列に並べて配設することにより、個々の吹出口は小さくなるが、吹出口４’、５’を合わせた円周方向の長さは十分に長くなるので、吹き出し範囲が限定されることはなく、広範囲に調和空気を送出することができ、室内全体に調和空気を行き渡らせることができる。また、吹出口４’、５が１列に並んでいるので、第１実施形態の空気調和機１よりも外観が美しくなる。
【００５０】
〈第３実施形態〉
図６は第３実施形態の空気調和機の内部構造の概略側面図である。第１実施形態と同様の部材には同符号を付し、その詳細な説明を省略する。第３実施形態の空気調和機１”が第１実施形態の空気調和機１と異なる点は、ケーシング４１の背面側（図６では左側）に空気の吸込口４３を設けた点である。これにより、ケーシング４１とケーシング５１は、空気調和機１”との接続部分の形状を除くと同じ形状となる。
【００５１】
〈第４実施形態〉
図７Ａは第４実施形態の空気調和機の内部構造の概略正面図、図７Ｂはその上面図である。第１実施形態と同様の部材には同符号を付し、その詳細な説明を省略する。以下では、第４実施形態の空気調和機１００が第１実施形態の空気調和機１と異なる点を主に説明する。
【００５２】
空気調和機１００はシロッコファン１１と、シロッコファン１１の軸方向に並んだ第１及び第２ケーシング４４、５４と、送風機モータ６と、フィルター７と、イオン発生装置３、３とを備えている。図７Ｂにおいてフィルター７の下側に開口部があり、空気の吸込口となっている。フィルター７を通じて吸い込まれた空気は、シロッコファン１１に導かれ、第２ケーシング５４、又は第１及び第２ケーシング４４、５４を通って第１及び第２吹出口４００、５００から送出される。
【００５３】
第１ケーシング４４はシロッコファン１１を収納する第１収納部を有して第１排気経路を第１収納部からシロッコファン１１の接線方向に延出したものである。第１排気経路はシロッコファン１１の周囲から延びて先端に第１吹出口４００を有する。
【００５４】
第２ケーシング５４はシロッコファン１１を収納する第２収納部を有して第２排気経路を第２収納部からシロッコファン１１の接線方向に延出したものである。第２排気経路はシロッコファン１１の周囲から延びて先端に第２吹出口５００を有する。
【００５５】
第１及び第２収納部はシロッコファン１１の軸を中心にしてシロッコファン１１の外周を所定の空隙を保って囲む渦巻き形状となっている。この形状はアルキメデスの螺旋などに基づいて設計できる。第１ケーシング４４、第２ケーシング５４の最も狭くなったそれぞれの咽部（根元部）２２、２３からそれぞれの吹出口４００、５００にかけて排気経路は緩やかに広がっている。そして、第１排気経路と第２排気経路とがシロッコファン１１の軸方向に異なる位置から延出されている。
【００５６】
第１収納部と第２収納部とは空気を送るためシロッコファン１１の軸方向に連通している。第１ケーシング４４と第２ケーシング５４とは同形状であり、シロッコファン１１の円周方向に回転移動させて配設されている。なお、必ずしも形状は一致しなくてもよい。
【００５７】
具体的に、第１ケーシング４４の形状はシロッコファン１１の円周上の一点から半径方向に所定距離だけ離隔した位置に始点２２１を定め、始点２２１から徐々に半径方向に拡大しながら、始点２２１から３／４円周を超えた程度のところに定められた終点２２２まで円周方向に形成される内面４４１と、終点２２２から連続して、終点２２２におけるシロッコファン１１の外径の接線方向に形成され第１吹出口４００まで延びる内面４４２と、始点２２１から延びる任意の曲線によって形成される咽部２２から第１吹出口４００まで延びる内面４４３とで決定されている。なお、始点２２１及び終点２２２は任意に決定される。
【００５８】
内面４４３は、第１ケーシング４４内で均一の気流が得られるようにシロッコファン１１の外径の接線を含んでいる。したがって、第１吹出口４００の全ての領域がシロッコファン１１の外径の接線方向に該当するので、気流はそれぞれの接線方向に直線的に形成され、第１吹出口４００から均一な気流（層流）が送出される。
【００５９】
第２ケーシング５４の形状も同様に、始点２３１、終点２３２、内面５４１、５４２、５４３によって決定されている。また、第１ケーシング４４と第２ケーシング５４はシロッコファン１１の軸方向に並んでおり、つまりシロッコファン１１の円周方向に重ならないように配設されている。各排気経路の始点がシロッコファン１１の軸方向にずれて配設されているとも言える。図７Ｂに示すように、ケーシング４４とケーシング５４とは内面４５を共用している。そして、内面４５はシロッコファン１１の羽幅を二分するように配設されている。
【００６０】
ケーシング４１とケーシング５１の設置角度、例えば、内面４４３と内面５４３とがなす角度は、シロッコファン１１の軸を中心として１８０°だけ円周方向にずれている。これにより、吹出口４００と吹出口５００は、シロッコファン１１の軸方向に１列に並ぶことなく、図７Ｂに示すように、シロッコファン１１の円周方向に１８０°ずれて配設される。つまり、第１吹出口４００と第２吹出口５００とが本体筐体の対向する側面に配設される。
【００６１】
このように、均一な気流が送出される第１吹出口４００と第２吹出口５００とを本体筐体の対向する側面にそれぞれ配設することにより、空気調和機１００の両側方へ広範囲に調和空気を送出することができ、室内全体に調和空気を行き渡らせることができる。なお、それぞれの吹出口４００、５００は本体筐体の対向する側面だけでなく、異なる面に配設されればよい。
【００６２】
なお、上記の各実施形態では排気経路が２つの場合を例に説明したが３つ以上の排気経路を設けてもよく、遠心ファンも排気経路に１対１に対応させるなど複数設けてもよい。
【００６３】
本発明に用いる遠心ファンとしては他に後向きファン、サイレントファン、リミットロードファンなどを用いることができる。
【産業上の利用可能性】
【００６４】
本発明の空気調和機は空気清浄機をはじめ、イオン放出器、除湿器、加湿器、暖房機、冷房機、それらの複合機などに利用することができる。
【符号の説明】
【００６５】
１  空気調和機
３  イオン発生装置
４、４’、４００  第１吹出口
５、５’、５００  第２吹出口
１１  シロッコファン（遠心ファン）
３１  正イオン送出口
３２  負イオン送出口
４１、４２、４４  第１ケーシング
５１、５２、５４  第２ケーシング
４１３、５１３、４２３、５２３、４４３、５４３  内面
θ1、θ2  角度
【図１】
2012017896.tif 000003
【図２Ａ】
2012017896.tif 000004
【図２Ｂ】
2012017896.tif 000005
【図２Ｃ】
2012017896.tif 000006
【図３】
2012017896.tif 000007
【図４】
2012017896.tif 000008
【図５Ａ】
2012017896.tif 000009
【図５Ｂ】
2012017896.tif 000010
【図５Ｃ】
2012017896.tif 000011
【図６】
2012017896.tif 000012
【図７Ａ】
2012017896.tif 000013
【図７Ｂ】
2012017896.tif 000014